(57)【要約】【課題】ＤＶＤ−Ｒ等の光ディスクに形成されたランドプリピットを確実に検出してアドレス情報を得る。【解決手段】差分器２６ｅからのラジアルプッシュプル信号及びしきい値をコンパレータ２６ｆに供給してランドプリピット信号を検出する。しきい値は、バンドパスフィルタ２６ｈからのウォブル信号にオフセット電圧を加算し、さらにＲＦ信号を加算して生成する。ピット形成部ではランドプリピット信号の振幅が低下するが、ＲＦ信号のレベルも低下するためしきい値を適応的に低下させてランドプリピット信号を検出できる。【選択図】図３
2006139832.tif 000002
【特許請求の範囲】
【請求項１】
ウォブルトラック及びランドプリピットが形成された光ディスクに対してデータを記録または再生する光ディスク装置であって、
前記光ディスクにレーザ光を照射しその反射光からラジアルプッシュプル信号を検出するラジアルプッシュプル信号検出手段と、
前記ラジアルプッシュプル信号としきいレベルとを比較することで前記ラジアルプッシュプル信号に含まれるランドプリピット信号を検出するプリピット信号検出手段と、
前記反射光からＲＦ信号を検出するＲＦ信号検出手段と、
前記ラジアルプッシュプル信号から前記ウォブルトラックに対応するウォブル信号を抽出する抽出手段と、
前記ウォブル信号に所定のオフセットレベル及びＡＣ結合された前記ＲＦ信号を重畳して前記しきいレベルを生成し、前記プリピット信号検出手段に供給するしきいレベル制御手段と、
を有することを特徴とする光ディスク装置。
【請求項２】
ウォブルトラック及びランドプリピットが形成された光ディスクに対してデータを記録または再生する光ディスク装置であって、
前記光ディスクにレーザ光を照射しその反射光からラジアルプッシュプル信号を検出するラジアルプッシュプル信号検出手段と、
前記ラジアルプッシュプル信号としきいレベルとを比較することで前記ラジアルプッシュプル信号に含まれるランドプリピット信号を検出するプリピット信号検出手段と、
前記反射光からＲＦ信号を検出するＲＦ信号検出手段と、
前記ラジアルプッシュプル信号から前記ウォブルトラックに対応するウォブル信号を抽出する抽出手段と、
前記ウォブル信号に所定の第１オフセットレベルを重畳し、さらにＡＣ結合された前記ＲＦ信号あるいは所定の第２オフセットレベルのいずれかを選択的に重畳して前記しきいレベルを生成し、前記プリピット信号検出手段に供給するしきいレベル制御手段と、
を有することを特徴とする光ディスク装置。
【請求項３】
請求項２記載の装置において、
前記しきいレベル制御手段は、前記ＲＦ信号が存在する場合にＡＣ結合された前記ＲＦ信号を重畳し、前記ＲＦ信号が存在しない場合に前記第２オフセットレベルを重畳することを特徴とする光ディスク装置。
【請求項４】
ウォブルトラック及びランドプリピットが形成された光ディスクに対してデータを記録または再生する光ディスク装置であって、
前記光ディスクにレーザ光を照射しその反射光からラジアルプッシュプル信号を検出するラジアルプッシュプル信号検出手段と、
前記ラジアルプッシュプル信号としきいレベルとを比較することで前記ラジアルプッシュプル信号に含まれるランドプリピット信号を検出するプリピット信号検出手段と、
前記反射光からＲＦ信号を検出するＲＦ信号検出手段と、
所定のオフセットレベル及びＡＣ結合された前記ＲＦ信号を重畳して前記しきいレベルを生成し、前記プリピット信号検出手段に供給するしきいレベル制御手段と、
を有することを特徴とする光ディスク装置。
【請求項５】
ウォブルトラック及びランドプリピットが形成された光ディスクに対してデータを記録または再生する光ディスク装置であって、
前記光ディスクにレーザ光を照射しその反射光からラジアルプッシュプル信号を検出するラジアルプッシュプル信号検出手段と、
前記ラジアルプッシュプル信号としきいレベルとを比較することで前記ラジアルプッシュプル信号に含まれるランドプリピット信号を検出するプリピット信号検出手段と、
前記反射光からＲＦ信号を検出するＲＦ信号検出手段と、
所定の第１オフセットレベルにＡＣ結合された前記ＲＦ信号あるいは所定の第２オフセットレベルのいずれかを選択的に重畳して前記しきいレベルを生成し、前記プリピット信号検出手段に供給するしきいレベル制御手段と、
を有することを特徴とする光ディスク装置。
【請求項６】
ウォブルトラック及びランドプリピットが形成された光ディスクに対してデータを記録または再生する光ディスク装置であって、
前記光ディスクにレーザ光を照射しその反射光からラジアルプッシュプル信号を検出するラジアルプッシュプル信号検出手段と、
前記ラジアルプッシュプル信号としきいレベルとを比較することで前記ラジアルプッシュプル信号に含まれるランドプリピット信号を検出するプリピット信号検出手段と、
前記反射光からＲＦ信号を検出するＲＦ信号検出手段と、
前記ＲＦ信号と基準値とを比較して第１の値及び第２の値を有する二値信号を生成する手段であって、前記第１の値は前記ＲＦ信号が基準値以上の場合であり、かつ、第１の値は第２の値より大きいものである手段と、
前記ラジアルプッシュプル信号から前記ウォブルトラックに対応するウォブル信号を抽出する抽出手段と、
前記ウォブル信号に所定のオフセットレベル及び前記二値信号を重畳して前記しきいレベルを生成し、前記プリピット信号検出手段に供給するしきいレベル制御手段と、
を有することを特徴とする光ディスク装置。
【請求項７】
ウォブルトラック及びランドプリピットが形成された光ディスクに対してデータを記録または再生する光ディスク装置であって、
前記光ディスクにレーザ光を照射しその反射光からラジアルプッシュプル信号を検出するラジアルプッシュプル信号検出手段と、
前記ラジアルプッシュプル信号としきいレベルとを比較することで前記ラジアルプッシュプル信号に含まれるランドプリピット信号を検出するプリピット信号検出手段と、
前記反射光からＲＦ信号を検出するＲＦ信号検出手段と、
前記ＲＦ信号と基準値とを比較して第１の値及び第２の値を有する二値信号を生成する手段であって、前記第１の値は前記ＲＦ信号が基準値以上の場合であり、かつ、第１の値は第２の値より大きいものである手段と、
前記ラジアルプッシュプル信号から前記ウォブルトラックに対応するウォブル信号を抽出する抽出手段と、
前記ウォブル信号に所定の第１オフセットレベルを重畳し、さらに二値信号あるいは所定の第２オフセットレベルのいずれかを選択的に重畳して前記しきいレベルを生成し、前記プリピット信号検出手段に供給するしきいレベル制御手段と、
を有することを特徴とする光ディスク装置。
【請求項８】
ウォブルトラック及びランドプリピットが形成された光ディスクに対してデータを記録または再生する光ディスク装置であって、
前記光ディスクにレーザ光を照射しその反射光からラジアルプッシュプル信号を検出するラジアルプッシュプル信号検出手段と、
前記ラジアルプッシュプル信号としきいレベルとを比較することで前記ラジアルプッシュプル信号に含まれるランドプリピット信号を検出するプリピット信号検出手段と、
前記反射光からＲＦ信号を検出するＲＦ信号検出手段と、
前記ＲＦ信号と基準値とを比較して第１の値及び第２の値を有する二値信号を生成する手段であって、前記第１の値は前記ＲＦ信号が基準値以上の場合であり、かつ、第１の値は第２の値より大きいものである手段と、
所定のオフセットレベル及び前記二値信号を重畳して前記しきいレベルを生成し、前記プリピット信号検出手段に供給するしきいレベル制御手段と、
を有することを特徴とする光ディスク装置。
【請求項９】
ウォブルトラック及びランドプリピットが形成された光ディスクに対してデータを記録または再生する光ディスク装置であって、
前記光ディスクにレーザ光を照射しその反射光からラジアルプッシュプル信号を検出するラジアルプッシュプル信号検出手段と、
前記ラジアルプッシュプル信号としきいレベルとを比較することで前記ラジアルプッシュプル信号に含まれるランドプリピット信号を検出するプリピット信号検出手段と、
前記反射光からＲＦ信号を検出するＲＦ信号検出手段と、
前記ＲＦ信号と基準値とを比較して第１の値及び第２の値を有する二値信号を生成する手段であって、前記第１の値は前記ＲＦ信号が基準値以上の場合であり、かつ、第１の値は第２の値より大きいものである手段と、
所定の第１オフセットレベルに前記二値信号あるいは所定の第２オフセットレベルのいずれかを選択的に重畳して前記しきいレベルを生成し、前記プリピット信号検出手段に供給するしきいレベル制御手段と、
を有することを特徴とする光ディスク装置。
【発明の詳細な説明】
【技術分野】
【０００１】
本発明は光ディスク装置、特にウォブルトラック及びランドプリピットを備える光ディスクを駆動する光ディスク装置に関する。
【背景技術】
【０００２】
ＤＶＤ−ＲやＤＶＤ−ＲＷ等の光ディスクでは、情報記録トラックであるグルーブトラックをウォブルさせるとともに、隣接するランドにランドプリピット（ＬＰＰ）を形成してアドレス情報を埋め込んでいる。ＬＰＰは３個で１組をなし、例えば偶数フレームの（１、１、１）で同期情報、（１、０、０）でデータ値０、（１、０、１）でデータ値１を表す。光ディスクにデータを記録／再生する際には、再生信号、より詳しくはラジアルプッシュプル信号をしきい値と比較して二値化することで、ラジアルプッシュプル信号に含まれるＬＰＰ信号を検出してアドレス情報を得る。
【０００３】
ＬＰＰに対応するグルーブトラックにピットが形成されていない場合には、ラジアルプッシュプル信号に含まれるＬＰＰ信号の振幅も比較的大きく、しきい値を用いて検出することができるが、ピットが形成されている場合にはピット形成時の熱的影響によるＬＰＰの物理的変形あるいは再生時のピット反射率の影響でＬＰＰ信号の振幅が低下し、しきい値を用いて検出することが困難となる。
【０００４】
そこで、下記に示す特許文献１には、ラジアルプッシュプル信号とともに和信号を検出し、和信号のレベルによりラジアルプッシュプル信号の増幅度を変化させてＬＰＰ信号を検出することが記載されている。すなわち、和信号のレベルが小さい場合にはピットが形成されていることを意味するから増幅度を大きくしてＬＰＰ信号の振幅を増大させ、和信号のレベルが大きい場合にはピットが形成されていないことを意味するから増幅度を小さくすることが記載されている。
【０００５】
【特許文献１】特開２００４−２２７６４４号公報
【発明の開示】
【発明が解決しようとする課題】
【０００６】
しかしながら、ラジアルプッシュプル信号の増幅度を変化させる構成では、ＬＰＰ信号のみならずノイズも同時に増幅することになるので、しきい値の設定によっては増幅度を大きくしてもＬＰＰ信号のみを検出することができないおそれがある。したがって、増幅度は所定のゲインに固定しつつ、ＬＰＰ信号を検出するためのしきい値を適当な値に可変制御できることが望ましい。すなわち、固定しきい値を用いた場合には、特に同期ＬＰＰに対応して形成される同期情報（最長の１４Ｔのピット）が形成されたときにＬＰＰ信号の振幅が小さくなるため検出することができず、その一方でこれを検出すべくしきい値を小さめに設定した場合には、ノイズに対して過敏に反応して過検出となってしまうので、しきい値を適応的に可変制御することが望まれる。
【０００７】
本発明の目的は、簡易な構成でしきい値を可変制御し、もってＬＰＰ信号を確実に検出することができる装置を提供することにある。
【課題を解決するための手段】
【０００８】
本発明は、ウォブルトラック及びＬＰＰが形成された光ディスクに対してデータを記録または再生する光ディスク装置であって、前記光ディスクにレーザ光を照射しその反射光からラジアルプッシュプル信号を検出するラジアルプッシュプル信号検出手段と、前記ラジアルプッシュプル信号としきいレベルとを比較することで前記ラジアルプッシュプル信号に含まれるＬＰＰ信号を検出するプリピット信号検出手段と、前記反射光からＲＦ信号を検出するＲＦ信号検出手段と、前記ラジアルプッシュプル信号から前記ウォブルトラックに対応するウォブル信号を抽出する抽出手段と、前記ウォブル信号に所定のオフセットレベル及びＡＣ結合された前記ＲＦ信号を重畳して前記しきいレベルを生成し、前記プリピット信号検出手段に供給するしきいレベル制御手段とを有する。
【０００９】
また、本発明は、ウォブルトラック及びＬＰＰが形成された光ディスクに対してデータを記録または再生する光ディスク装置であって、前記光ディスクにレーザ光を照射しその反射光からラジアルプッシュプル信号を検出するラジアルプッシュプル信号検出手段と、前記ラジアルプッシュプル信号としきいレベルとを比較することで前記ラジアルプッシュプル信号に含まれるＬＰＰ信号を検出するプリピット信号検出手段と、前記反射光からＲＦ信号を検出するＲＦ信号検出手段と、前記ラジアルプッシュプル信号から前記ウォブルトラックに対応するウォブル信号を抽出する抽出手段と、前記ウォブル信号に所定の第１オフセットレベルを重畳し、さらにＡＣ結合された前記ＲＦ信号あるいは所定の第２オフセットレベルのいずれかを選択的に重畳して前記しきいレベルを生成し、前記プリピット信号検出手段に供給するしきいレベル制御手段とを有する。前記しきいレベル制御手段は、前記ＲＦ信号が存在する場合に前記ＲＦ信号を重畳し、前記ＲＦ信号が存在しない場合に前記第２オフセットレベルを重畳することが好適である。
【００１０】
本発明では、ラジアルプッシュプル信号からＬＰＰ信号を検出するためのしきい値をＲＦ信号を用いて可変設定する。ピットが形成されている部分ではＬＰＰ信号の振幅が低下するがＲＦ信号のレベルも低下する。また、ピットが形成されていない部分ではＬＰＰ信号の振幅は大きい（低下しない）がＲＦ信号のレベルも大きい（低下しない）。そこで、ＲＦ信号を用いてしきい値を可変設定することにより、ＬＰＰ信号の振幅が小さい場合にはしきい値もそれに応じて小さく設定し、ＬＰＰ信号の振幅が大きい場合にはしきい値もそれに応じて大きく設定することができる。
【００１１】
本発明において、ウォブル信号を用いることなく、固定のオフセットレベルにＡＣ結合されたＲＦ信号を重畳することもできる。また、ＲＦ信号自体ではなく、ＲＦ信号を基準値と比較して生成される二値信号を重畳してしきい値レベルとしてもよい。二値信号は、第１の値と第２の値（第１の値＞第２の値）を有し、ピット未形成時でＲＦ信号レベルが基準値以上に高い場合に第１の値をとる。
【発明の効果】
【００１２】
本発明によれば、ＬＰＰ信号の振幅が小さい場合にはしきい値もそれに応じて小さく設定し、ＬＰＰ信号の振幅が大きい場合にはしきい値もそれに応じて大きく設定することができるので、ＬＰＰ信号の振幅が小さい場合でもこれを確実に検出できるとともに、ノイズをＬＰＰ信号と誤検出することを抑制できる。
【発明を実施するための最良の形態】
【００１３】
以下、図面に基づき本発明の実施形態について説明する。
【００１４】
＜第１実施形態＞
図１には、本実施形態に係る光ディスク装置の全体構成図が示されている。ＤＶＤ−ＲやＤＶＤ−ＲＷ等のウォブルトラック及びＬＰＰが形成された光ディスク１０はスピンドルモータ（ＳＰＭ）１２により回転駆動される。スピンドルモータＳＰＭ１２は、ドライバ１４で駆動され、ドライバ１４はサーボプロセッサ３０により所望の回転速度となるようにサーボ制御される。
【００１５】
光ピックアップ１６は、レーザ光を光ディスク１０に照射するためのレーザダイオード（ＬＤ）や光ディスク１０からの反射光を受光して電気信号に変換するフォトディテクタ（ＰＤ）を含み、光ディスク１０に対向配置される。光ピックアップ１６はスレッドモータ１８により光ディスク１０の半径方向に駆動され、スレッドモータ１８はドライバ２０で駆動される。ドライバ２０は、ドライバ１４と同様にサーボプロセッサ３０によりサーボ制御される。また、光ピックアップ１６のＬＤはドライバ２２により駆動され、ドライバ２２はオートパワーコントロール回路（ＡＰＣ）２４により駆動電流が所望の値となるように制御される。ＡＰＣ２４は、光ディスク１０のテストエリア（ＰＣＡ）において実行されたＯＰＣ（Optimum Power Control）により選択された最適記録パワーとなるようにドライバ２２の駆動電流を制御する。ＯＰＣは、光ディスク１０のＰＣＡに記録パワーを複数段に変化させてテストデータを記録し、該テストデータを再生してその信号品質を評価し、所望の信号品質が得られる記録パワーを選択する処理である。信号品質には、β値やγ値、変調度、ジッタ等が用いられる。
【００１６】
光ディスク１０に記録されたデータを再生する際には、光ピックアップ１６のＬＤから再生パワーのレーザ光が照射され、その反射光がＰＤで電気信号に変換されて出力される。光ピックアップ１６からの再生信号はＲＦ回路２６に供給される。ＲＦ回路２６は、再生信号からフォーカスエラー信号やトラッキングエラー信号を生成し、サーボプロセッサ３０に供給する。サーボプロセッサ３０は、これらのエラー信号に基づいて光ピックアップ１６をサーボ制御し、光ピックアップ１６をオンフォーカス状態及びオントラック状態に維持する。また、ＲＦ回路２６は、再生信号に含まれるアドレス信号、すなわちＬＰＰ信号をアドレスデコード回路２８に供給する。ＲＦ回路２６にはＬＰＰ信号検出回路が含まれており、このＬＰＰ信号検出回路で再生信号のラジアルプッシュプル信号からＬＰＰ信号を検出する。ＬＰＰ信号検出回路についてはさらに後述する。アドレスデコード回路２８はアドレス信号から光ディスク１０のアドレスデータを復調し、サーボプロセッサ３０やシステムコントローラ３２に供給する。また、ＲＦ回路２６は、再生ＲＦ信号を２値化回路３４に供給する。２値化回路３４は、再生信号を２値化し、得られた８−１６変調信号をエンコード／デコード回路３６に供給する。エンコード／デコード回路３６では、２値化信号を８−１６復調及びエラー訂正して再生データを得、当該再生データをインタフェースＩ／Ｆ４０を介してパーソナルコンピュータなどのホスト装置に出力する。なお、再生データをホスト装置に出力する際には、エンコード／デコード回路３６はバッファメモリ３８に再生データを一旦蓄積した後に出力する。
【００１７】
光ディスク１０にデータを記録する際には、ホスト装置からの記録すべきデータはインターフェースＩ／Ｆ４０を介してエンコード／デコード回路３６に供給される。エンコード／デコード回路３６は、記録すべきデータをバッファメモリ３８に格納し、当該記録すべきデータをエンコードして８−１６変調データとしてライトストラテジ回路４２に供給する。ライトストラテジ回路４２は、ＥＦＭデータを所定の記録ストラテジに従ってマルチパルス（パルストレーン）に変換し、記録データとしてドライバ２２に供給する。記録ストラテジは、例えばマルチパルスにおける先頭パルスのパルス幅や後続パルスのパルス幅、パルスデューティから構成される。記録ストラテジは記録品質に影響することから、通常はある最適ストラテジに固定される。ＯＰＣ時に記録ストラテジを併せて設定してもよい。記録データによりパワー変調されたレーザ光は光ピックアップ１６のＬＤから照射されて光ディスク１０にデータが記録される。データを記録した後、光ピックアップ１６は再生パワーのレーザ光を照射して当該記録データを再生し、ＲＦ回路２６に供給する。ＲＦ回路２６は再生信号を２値化回路３４に供給し、２値化された８−１６変調データはエンコード／デコード回路３６に供給される。エンコード／デコード回路３６は、８−１６変調データをデコードし、正常にデコードできない場合は交替処理を行う。具体的には、バッファメモリ３８に記憶されている記録済みデータを交替領域へ記録する。
【００１８】
図２には、光ディスク１０に形成されたウォブルトラック及びＬＰＰ１００と、光ディスクに照射されたレーザ光の反射光を受光する４分割フォトディテクタの配置関係が示されている。ラジアルプッシュプル信号は、ラジアル方向に配置されたディテクタ（Ａ＋Ｄ）とディテクタ（Ｂ＋Ｃ）の差分として検出される。
【００１９】
図３には、本実施形態におけるＬＰＰ信号検出回路の構成が示されている。加算器２６ａ及び加算器２６ｂは、それぞれディテクタＡとＤの信号、ディテクタＢとＣの信号を加算して出力する。加算信号はそれぞれＡＧＣ（オートゲインコントロール）２６ｃ、２６ｄに出力されレベル調整される。ＡＧＣ２６ｃ、２６ｄは、加算信号を差分器２６ｅに出力する。
【００２０】
差分器２６ｅは、（Ａ＋Ｄ）信号と（Ｂ＋Ｃ）信号の差分を演算してラジアルプッシュプル信号を生成し、コンパレータ（ＣＭＰ）２６ｆの一方の端子に出力する。また、差分器２６ｅは、ラジアルプッシュプル信号をリミッタ２６ｇにも出力する。
【００２１】
リミッタ２６ｇは、所定レベル以上の信号をカットするリミッタであり、具体的にはウォブル信号のレベルよりも大きいノイズ成分を除去する。リミッタ２６ｇは、信号をバンドパスフィルタ（ＢＰＦ）２６ｈに出力する。
【００２２】
バンドパスフィルタ２６ｈは、その中心周波数がウォブル信号の周波数（約１４０ＫＨｚ）に設定され、ラジアルプッシュプル信号からウォブル信号のみを抽出する。バンドパスフィルタ２６ｈは、ウォブル信号を加算器２６ｉに出力する。
【００２３】
加算器２６ｉは、ウォブル信号に所定のオフセット電圧を加算して加算器２６ｊに出力する。この所定のオフセット電圧は、加算後のレベルが同期ＬＰＰに１４Ｔのピットが形成される場合のＬＰＰ信号振幅レベル（最小レベル）と、同期ＬＰＰに１４Ｔのピットが形成されない場合のＬＰＰ信号振幅レベル（最大レベル）の略中間となるような電圧値に設定される。
【００２４】
加算器２６ｊは、加算器２６ｉから出力された信号（ウォブル信号＋オフセット電圧）と、ＡＣ結合され直流成分が除去されたＲＦ信号（和信号（Ａ＋Ｄ）＋（Ｂ＋Ｃ））とを加算してコンパレータ２６ｆの他方の端子に出力する。ウォブル信号＋オフセット電圧は、しきい値を固定した場合に相当し、加算器２６ｊからの信号は、固定しきい値にさらにＲＦ信号を重畳した可変しきい値に相当する。すなわち、ピットが形成されている部分ではＲＦ信号のレベルが低下し、ピットが形成されていない部部ではＲＦ信号のレベルが増大する。したがって、ＲＦ信号を重畳して得られるしきい値は、ピットが形成された部分で低下し、ピットが形成されていない部分で増大する。既述したように、ピットが形成された部分では、当該ピットの影響でＬＰＰ信号の振幅が低下するが、本実施形態ではピットが形成された部分ではこれに応じてしきい値も自動的に低下することになる。一方、ピットが形成されない部分では、ＬＰＰ信号の振幅は大きいが、これに応じてしきい値も自動的に増大することとなるため、ＬＰＰ信号の振幅の大小に応じてしきい値も可変することになる。
【００２５】
図４には、図３の各部ａ〜ｅの信号波形が示されている。図４（ａ）は、差分器２６ｅから出力されるラジアルプッシュプル信号である。ラジアルプッシュプル信号には、ウォブル信号（図におけるベース信号のうねり）及びＬＰＰ信号（図におけるパルス２００）が含まれている。図４（ｂ）は、リミッタ２６ｇから出力される信号である。図において、破線はリミットレベルを示す。図４（ｃ）はバンドパスフィルタ（ＢＰＦ）２６ｈから出力される信号である。ウォブル周波数を有するウォブル信号である。図４（ｄ）は、加算器２６ｉから出力される信号である。図４（ｃ）のウォブル信号に所定のオフセット電圧を印加した信号であり、固定しきい値に対応する信号である。この信号で図４（ａ）に示されるラジアルプッシュプル信号を二値化すると、１４Ｔのピットが形成されたＬＰＰ１００に対応するＬＰＰ信号を検出することができないおそれがあり、あるいはノイズをＬＰＰ信号と誤検出するおそれがある。図４（ｅ）は、加算器２６ｊから出力される信号であり、本実施形態における可変しきい値の信号である。ＲＦ信号が重畳されているため、ピット形成部分ではそのレベルが低下し、ピット未形成部分では増大する。図４（ｆ）はコンパレータ２６ｆから出力される信号、すなわちＬＰＰ信号である。ピット形成部分ではＬＰＰ信号２００の振幅が小さくなるが、しきい値も小さくなるためコンパレータ２６ｆで確実に二値化して検出できる。また、ピット未形成部分ではＬＰＰ信号２００の振幅は大きいが、しきい値も大きくなるため同様にコンパレータ２６ｆで確実に二値化して検出できる。
【００２６】
図５には、コンパレータ２６ｆにおける比較の様子が模式的に示されている。コンパレータ２６ｆは、図４（ａ）に示されるラジアルプッシュプル信号と、図４（ｅ）に示されるしきい値とを比較して二値化する。ＬＰＰ信号２００のうち、ピット形成部分に対応するＬＰＰ信号３００はその振幅が低下するが、ＲＦレベルが低下するためしきい値も低下する。また、ＬＰＰ信号２００のうち、ピット未形成部分に対応するＬＰＰ信号４００はその振幅が大きいが、ＲＦレベルも増大するためしきい値も増大し、ノイズを除去してＬＰＰ信号４００のみを検出できる。図５から、本実施形態における可変しきい値の有効性は明らかであろう。ここで、ＲＦ信号を加算した時、ピットがある場合に従来の固定しきい値よりもしきい値が下がるのは、言うまでもなくＲＦ信号が負の値で得られるからでありＲＦ信号をＡＣ結合して加算器２６ｊに供給する所以である。
【００２７】
なお、コンパレータ２６ｆで検出されたＬＰＰ信号はアドレスデコード回路２８に供給されるが、ＬＰＰ１００はウォブル信号のピークに同期して形成されていることから、コンパレータ２６ｆからの出力信号に対して、さらにウォブル信号のピークでウインドを設定し、ピーク以外の期間は遮断することでノイズをさらに除去してもよい。
【００２８】
＜第２実施形態＞
図６には、本実施形態におけるＬＰＰ信号検出回路の構成が示されている。図３に示された回路と異なる点は、加算器２６ｊに供給される信号がＲＦ信号ではなく、スイッチ２６ｋによりＲＦ信号と第２オフセット電圧のいずれかが選択的に供給される点である。スイッチ２６ｋの接点は、ＲＦ検波回路からの切替信号に応じて制御され、ＲＦ検波回路でＲＦ信号を検出した場合にはその接点はＲＦ信号側に切り替えられ、ＲＦ検波回路でＲＦ信号を検出しない場合にはその接点は第２オフセット電圧側に切り替えられる。ＲＦ信号が検出された場合、すなわちグルーブトラックにデータが記録されている場合には、上記の実施形態と同様にＲＦ信号によりしきい値が可変設定される。一方、ＲＦ信号が検出されない場合、すなわちグルーブトラックにデータが記録されていない場合には、ＲＦ信号の代わりに第２オフセット電圧でさらにオフセットされた（ウォブル信号＋オフセット電圧＋第２オフセット電圧）しきい値が設定される。データが記録されていない場合には、ＬＰＰ１００はピットの影響を受けることがないのでＬＰＰ信号１００の振幅（ＬＰＰ信号４００に相当）も大きく、第２オフセット電圧でしきい値を増大設定してもＬＰＰ信号４００を検出できる。また、データを新たに追記する場合など、隣接する内周側グルーブトラックには既にデータが記録されているが、隣接する外周側グルーブトラックにはデータが記録されておらず、このためラジアルプッシュプル信号に差分でキャンセルできないＲＦ成分がノイズとして残留していても、第２オフセット電圧で増大されたしきい値でこのＲＦノイズ成分を除去することができる。なお、検波回路としては、例えば光ディスク１０からの反射光信号である（Ａ＋Ｄ）＋（Ｂ＋Ｃ）信号をコンパレータで所定値と比較し、一定時間内の信号変化の有無に基づいてＲＦ信号の有無を検出する構成とすればよい。
【００２９】
図７には、本実施形態のコンパレータ２６ｆにおける比較の様子が模式的に示されている。ＲＦ信号が存在する場合には、ＲＦ信号が重畳されたしきい値でラジアルプッシュプル信号を二値化し、ＬＰＰ信号３００を検出する。ＲＦ信号が検出されなくなると、スイッチ２６ｋの接点が切り替わり、第２オフセット電圧で一律にオフセットされたしきい値に切り替わり、ＬＰＰ信号４００を検出する。
【００３０】
第２オフセット電圧の値はオフセット電圧（第１オフセット電圧）と同一でもよく、隣接トラックから漏れ込むＲＦ成分の平均レベルに応じて設定してもよい。
【００３１】
＜第３実施形態＞
上記の第１、第２実施形態では、ウォブル信号に所定のオフセット電圧を加算してベースとなるしきい値を生成し、このベースとなるしきい値にＡＣ結合されたＲＦ信号を加算して最終的なしきい値としているが、ベースとなるしきい値をウォブル信号ではなく単に固定値としてもよい。
【００３２】
図８には、この場合のＬＰＰ信号検出回路の構成が示されている。図３と異なる点は、加算器２６ｊに供給される信号が固定のオフセット電圧信号とＡＣ結合されたＲＦ信号である点である。固定のオフセット電圧信号は、任意の方法で設定できるが、ピット未形成部分に対応するＬＰＰ信号４００の振幅から設定するのがよい。図９には、固定オフセット電圧の一例が示されている。固定オフセット電圧は、ラジアルプッシュプル信号のピーク値、つまりＬＰＰ信号４００のピーク値Ｐ１、ＬＰＦあるいはＢＰＦを通過したラジアルプッシュプル信号のピーク値Ｐ２をそれぞれ検出し、Ｐ１とＰ２の間の任意のレベル、例えば両ピーク値Ｐ１、Ｐ２の平均値（Ｐ１＋Ｐ２）／２として設定する。もちろん、ＬＰＰ信号４００のピーク値とは無関係にオフセット電圧を設定してもよい。オフセット電圧信号とＡＣ結合されたＲＦ信号は加算器２６ｊで加算され、変動しきい値としてコンパレータ２６ｆに供給される。ピット形成領域ではＲＦ信号が低下する（負の値となる）からしきい値も低下し、ＬＰＰ信号３００も確実に抽出できる。
【００３３】
＜第４実施形態＞
上記の第１〜第３実施形態では、オフセット電圧にＡＣ結合されたＲＦ信号を加算して変動しきい値を生成しているが、ＲＦ信号を直接加算するのではなく、ＲＦ信号のレベルからピット形成部分と未形成部分とを識別し、ピット形成部分では負になる、あるいは逆にピット未形成部分では正になる識別信号を生成し、この識別信号をオフセット電圧に加算してもよい。例えば、ＲＦ信号（和信号）を基準値と比較し、基準値以下となるときに負の所定値を出力してオフセット電圧に加算する。あるいは、ＲＦ信号と基準値との差分（ＲＦ信号−基準値）を演算し、その差分値自体または差分値に応じた値をオフセット電圧に加算して変動しきい値を生成してもよい。図１０には、この場合のＬＰＰ信号検出回路の構成が示されている。ＡＣ結合されたＲＦ信号の代わりに、ＲＦ信号をコンパレータ２６ｍで基準値と比較し、その結果の二値信号を加算器２６ｊに供給する。二値信号は、ＲＦレベル≧基準値のとき（ピット未形成時）に０、ＲＦ信号レベル＜基準値のとき（ピット形成時）に負の所定値となる二値信号である。二値信号として、ＲＦ信号レベル≧基準値のとき（ピット未形成時）に正の所定値となり、ＲＦ信号レベル＜基準値のときに負の所定値となる二値信号でもよい。要は、ＲＦ信号のレベルからピット形成部分と未形成部分とを識別し、ピット形成部分ではピット未形成部分に比べて相対的にしきい値を低下させればよい。ＡＣ結合されたＲＦ信号から二値信号を生成することも可能である。この場合、基準値として０レベルを設定し、ＡＣ結合されたＲＦ信号レベル≧０のときに０、ＡＣ結合されたＲＦ信号レベル＜０のときに負の所定値となる二値信号が生成され、この二値信号を加算して変動しきい値が生成される。
【図面の簡単な説明】
【００３４】
【図１】実施形態に係る光ディスク装置の全体構成図である。
【図２】フォトディテクタの配置説明図である。
【図３】ＬＰＰ信号検出回路の構成図である。
【図４】図３の回路各部の信号波形を示すタイミングチャートである。
【図５】コンパレータでのラジアルプッシュプル信号としきい値との比較を示す説明図である。
【図６】他の実施形態におけるＬＰＰ信号検出回路の構成図である。
【図７】他の実施形態におけるコンパレータでのラジアルプッシュプル信号としきい値との比較を示す説明図である。
【図８】他のＬＰＰ信号検出回路の構成図である。
【図９】オフセット電圧の設定説明図である。
【図１０】他のＬＰＰ信号検出回路の構成図である。
【符号の説明】
【００３５】
１０  光ディスク、２６  ＲＦ回路、２８  アドレスデコード回路、１００  ランドプリピット（ＬＰＰ）、２００  ＬＰＰ信号、３００  ピット形成時のＬＰＰ信号、４００  ピット未形成時のＬＰＰ信号。
【図１】
2006139832.tif 000003
【図２】
2006139832.tif 000004
【図３】
2006139832.tif 000005
【図４】
2006139832.tif 000006
【図５】
2006139832.tif 000007
【図６】
2006139832.tif 000008
【図７】
2006139832.tif 000009
【図８】
2006139832.tif 000010
【図９】
2006139832.tif 000011
【図１０】
2006139832.tif 000012